(57)【要約】【課題】  本体と表示装置との距離を調節可能であり，消費電力を下げて駆動時間を延長することが可能な情報処理システムを提供する。【解決手段】  上記情報処理システム（１００）において，上記情報処理装置（１０３）は，ユーザから指示を受付けることが可能な指示受付部（１１２，１１４）と；上記表示装置の画面よりも小さい画面を有する表示部（１１０）とを備え，また，表示装置（１０１）は，一端が画面の背後に回動可能に軸支されるとともに，他端が台座部に回動可能に軸支され，伸縮自在なアーム部を備えており，さらに上記表示部は，表示装置が情報処理装置から取り外された場合，画面上に情報を表示する。【選択図】    図１
2006293780.tif 000002
【特許請求の範囲】
【請求項１】
情報処理装置と表示装置とを備え，該表示装置を該情報処理装置から取り外し可能な情報処理システムであって：
前記情報処理装置は，ユーザから指示を受付けることが可能な指示受付部と；
前記表示装置の画面よりも小さい画面を有する表示部とを備え，
前記表示装置は，一端が画面の背後に回動可能に軸支されるとともに，他端が台座部に回動可能に軸支され，伸縮自在なアーム部を備え，
前記表示部は，前記表示装置が前記情報処理装置から取り外された場合，画面上に情報を表示することを特徴とする，情報処理システム。
【請求項２】
前記表示部は，前記指示受付け部の周辺部に備わることを特徴とする，請求項１に記載の情報処理システム。
【請求項３】
前記情報処理装置は，前記表示装置の台座部と嵌合可能な嵌合孔を備えており，
さらに前記嵌合孔は，前記情報処理装置に少なくとも電源を供給する電源アダプタ又はバッテリと嵌合可能であることを特徴とする，請求項１又は２に記載の情報処理システム。
【請求項４】
前記嵌合孔には，前記表示装置の台座部が前記嵌合孔に嵌合した場合，前記表示装置に映像信号を伝達し，前記電源アダプタ又はバッテリが前記嵌合孔に嵌合した場合，該電源アダプタ又はバッテリから供給される電源を前記情報処理装置本体に供給する両用コネクタが備わることを特徴とする，請求項３に記載の情報処理システム。
【請求項５】
前記情報処理システムは，前記表示装置が前記情報処理装置に装着した場合，ノート型パーソナルコンピュータであることを特徴とする，請求項１〜４のうちいずれか１項に記載の情報処理システム。
【発明の詳細な説明】
【技術分野】
【０００１】
本発明は情報処理可能な情報処理システムに関する。
【背景技術】
【０００２】
現在では，情報技術の発展と共に，ＰＣ（パーソナルコンピュータ：パソコン）が普及し，ユーザは職場又は家庭問わず，様々な環境でパソコンが使用されるのが，一般的になってきている。
【０００３】
従来に係るノート型パソコン（又は，ノートＰＣ）には，ユーザからのニーズに対応するため，キーボード等を有するシステムユニット本体とディスプレイとが取り外し可能なノートＰＣが存在している（例えば，特許文献１参照）。
【０００４】
上記本体とディスプレイとが取り外し可能なノートＰＣによって，ユーザは，本体とディスプレイとの距離を自由に調整することができるようになり，ユーザによる操作性の向上が図られている。
【０００５】
【特許文献１】特開平１０−１２４１８６号公報
【発明の開示】
【発明が解決しようとする課題】
【０００６】
しかしながら，ノートＰＣに備わる装置のうち，特にディスプレイの消費電力が非常に大きいため，バッテリだけでノートＰＣを動かす場合，必要以外はディスプレイを使用したくないユーザの要望は強いが，かかるユーザのニーズには対応することができなかった。
【０００７】
また，バッテリの消費電力を節約するために，大きな画面サイズのディスプレイよりも，文字や画像など必要最小限の情報を表示可能な小さな画面サイズのディスプレイを望むユーザも多い。
【０００８】
したがって，本体とディスプレイとの距離を自由に調整することができ，またバッテリに対する消費電力を下げることが可能な，多様なニーズに対応できるノートＰＣの開発が望まれている。
【０００９】
本発明は，上記問題点に鑑みてなされたものであり，本発明の目的は，本体と表示装置との距離を調節可能であり，消費電力を下げて駆動時間を延長することが可能な，新規かつ改良された情報処理システムを提供することである。
【課題を解決するための手段】
【００１０】
上記課題を解決するため，本発明の第１の観点によれば，情報処理装置と表示装置とを備え，上記表示装置を上記情報処理装置から取り外し可能な情報処理システムが提供される。上記情報処理システムにおいて，上記情報処理装置は，ユーザから指示を受付けることが可能な指示受付部と；上記表示装置の画面よりも小さい画面を有する表示部とを備え，また，表示装置は，一端が画面の背後に回動可能に軸支されるとともに，他端が台座部に回動可能に軸支され，伸縮自在なアーム部を備えており，さらに上記表示部は，表示装置が情報処理装置から取り外された場合，画面上に情報を表示することを特徴としている。
【００１１】
本発明によれば，上記情報処理システムにおける表示装置は情報処理装置から取り外すことが可能であって，上記表示装置を情報処理装置から取り外した場合，情報処理装置に設けられた表示部が上記表示装置の代わりとして画面上に情報を表示する。かかる構成によれば，情報処理システムは，（１）表示装置が情報処理装置に装着された状態で使用する形態と，（２）表示装置を情報処理装置から取り外して表示装置の画面上に情報を表示しながら使用する形態と，（３）表示装置を情報処理装置から取り外して表示装置の代わりに情報処理装置に備わる表示部の画面上に情報を表示しながら使用する形態と，多様な使用形態をユーザに提供することができ，ユーザは作業環境等に応じて適切な使用形態を選ぶことができ，さらにユーザが上記（３）の使用形態で情報処理システムを使用すれば，上記（１）〜（３）のうち最も消費電力が低いため，電力消費を最大限低く抑えることができる。
【００１２】
上記表示部は，上記指示受付け部の周辺部に備わるように構成してもよい。かかる構成により，ユーザが操作する指示受付け部を視認しながら，瞬時に表示部を視認することができる。
【００１３】
上記情報処理装置は，上記表示装置の台座部と嵌合可能な嵌合孔を備えており，さらに上記嵌合孔は，情報処理装置に少なくとも電源を供給する電源アダプタ又はバッテリと嵌合可能であるように構成してもよい。かかる構成により，持ち運ぶ際に，電源アダプタ又はバッテリを装着すれば，情報処理装置と一緒に持ち運ぶことができる。
【００１４】
上記嵌合孔には，上記表示装置の台座部が嵌合孔に嵌合した場合，表示装置に映像信号を伝達し，上記電源アダプタ又はバッテリが嵌合孔に嵌合した場合，当該電源アダプタ又はバッテリから供給される電源を情報処理装置本体に供給する両用コネクタが備わるように構成してもよい。かかる構成により，複数のコネクタを一元化することができる。
【００１５】
上記情報処理システムは，情報処理装置と表示装置とが取り外された場合，上記情報処理装置と表示装置とを無線又は有線で接続する接続部をさらに備えるように構成してもよい。
【００１６】
上記情報処理システムは，表示装置が情報処理装置に装着した場合，ノート型パーソナルコンピュータであるように構成してもよい。かかる構成により，ユーザは，そのままノート型パーソナルコンピュータを使用することができ，また，ユーザが表示装置を取り外した場合，デスクトップ型パーソナルコンピュータとして使用でき，さらにユーザは上記ノート型パーソナルコンピュータよりも軽量な情報処理装置だけを持ち運んで使用することができる。
【発明の効果】
【００１７】
以上説明したように，本発明によれば，表示装置を使用する場合，情報処理装置本体と表示装置との距離を調節可能であるため，ユーザに対する操作性，視認性を向上させ，また表示装置の代わりに情報処理装置に備わる表示部を使用すれば，消費電力を下げることができ，より一層システムの駆動時間を延長することができる。
【発明を実施するための最良の形態】
【００１８】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００１９】
まず，図１を参照しながら，第１の実施の形態にかかる情報処理システム１００について説明する。なお，図１は，第１の実施の形態にかかる情報処理システムの概略的な構成の一例を示す説明図である。
【００２０】
図１に示すように，情報処理システム１００は，表示装置１０１と，情報処理装置１０３とを備えている。図１に示す表示装置１０１は，情報処理装置１０３から取り外されているが，上記表示装置１０１を情報処理装置１０３に装着すれば，情報処理システム１００の形態は，ノート型ＰＣ（ノート型パーソナルコンピュータ）となる。
【００２１】
なお，本実施の形態にかかる情報処理システム１００の形態は，表示装置１０１が情報処理装置１０３に装着するとノート型ＰＣの形態になる場合を例に挙げて説明するが，かかる例に限定されず，例えば，表示装置１０１装着時の情報処理システム１００の形態が，ＰＤＡ（Ｐｅｒｓｏｎａｌ  Ｄｉｇｉｔａｌ  Ａｓｓｉｓｔａｎｔ）等の場合であっても実施可能である。
【００２２】
表示装置１０１にはＡＣアダプタ１０５ａが接続され，電源が供給される。かかるＡＣアダプタ１０５ａは，後述の情報処理装置１０３に装着して上記表示装置１０１と情報処理装置１０３に電源を供給することもできる。
【００２３】
なお，第１の実施の形態にかかる情報処理システム１００は，ＡＣアダプタ１０５を備えて交流電源を供給する場合を例に挙げて説明するが，かかる例に限定されず，例えば，情報処理システム１００は，ＤＣアダプタを備えて直流電源を供給する場合でも実施可能である。
【００２４】
情報処理装置１０３には，ユーザから指示を受付ける指示受付部としてマウス１１２，キーボード１１４とが備わり，さらにキーボード１１４の下部中央には表示部１１０が備わっている。なお，表示部１１０は，ＬＣＤの場合を例に挙げて説明するが，かかる例に限定されない。
【００２５】
上記情報処理装置は，マウス１１２又はキーボード１１４によってユーザからの指示が受付けられるとその指示内容に従って種々の情報処理を実行する制御部（又は，ＣＰＵなど）を備えている。
【００２６】
上記制御部によって情報処理が行われ，その結果が表示装置１０１又は表示部１１０に出力され，画面上に表示される。
【００２７】
また，情報処理装置１０３には，内蔵型のＡＣアダプタ１０５ｂが備わっており，かかるＡＣアダプタ１０５ｂによって情報処理装置１０３本体に電源が供給される。なお，後述するが，ＡＣアダプタ１０５の代わりにバッテリ１０６が用いられてもよい。
【００２８】
なお，第１の実施の形態にかかるＡＣアダプタ１０５ｂは，情報処理装置１０３に電源を供給する場合を例に挙げて説明したが，かかる例に限定されず，例えば，ＡＣアダプタ１０５ｂは，情報処理装置１０３と表示装置１０１の双方に電源を供給する場合等でも実施可能である。
【００２９】
図１に示すように，情報処理システム１００に備わる表示装置１０１と情報処理装置１０３との間では近赤外線発光ダイオード（ＩＲＥＤ）等による通信が行われ，情報処理装置１０３から送出された映像信号は表示装置１０１で受信され画面上に表示される。
【００３０】
より具体的に説明すると，図１に示すように，台座部１２５には，近赤外線発光ダイオード等で情報処理装置１０３と通信をする光空間送受信部１０８が備わり，情報処理装置１０３側にも光空間送受信部１０８が備わっている。
【００３１】
表示装置１０１及び情報処理装置１０３に備わる光空間送受信部１０８同士で，電気信号を光信号に変換して，映像信号等の信号を表示装置１０１と情報処理雄地１０３との間で送受信している。
【００３２】
次に，図２を参照しながら，第１の実施の形態にかかる表示装置１０１について説明する。なお，図２は，第１の実施の形態にかかる表示装置１０１の概略的な構成を示す側面図である。
【００３３】
図２に示すように，表示装置１０１には，情報処理装置１０３からの映像信号などを画面に表示するディスプレイ部１２３と，アーム部１２１と，台座部１２５とを備えている。
【００３４】
図２（ａ）に示すように，上記アーム部１２１は，一端がディスプレイ部１２３の背後に回動可能なように軸支され，また他端は台座部１２５の後端部に回動可能なように軸支されている。
【００３５】
また，上記アーム部１２１は，図２（ａ）に示すように，矢印ａ方向に上下に伸縮することが可能である。
【００３６】
さらに，図２（ａ）に示すように，アーム部１２１とディスプレイ部１２３とは回動自在に軸支されているため，矢印ｂ方向にディスプレイ部１２３の傾きを調整することができる。同様に台座部１２５に対するアーム部１２１の角度も矢印ｃ方向に調整することができる。
【００３７】
したがって，ユーザは，上記アーム部１２１を上下に伸縮することで，ディスプレイ部１２３の高さを調整することができるとともに，ディスプレイ部１２３の画面の角度も調整することができる。
【００３８】
図２（ｂ）に示すように，ディスプレイ部１２３の下端部を台座部１２５の設置面と略同じ高さに設置すれば，ディスプレイ部１２３の下端部と台座部１２５と設置面が増えて表示装置１０１を安定的に設置することができる。さらに，ディスプレイ部１２３の下端部に例えばゴムなどの摩擦係数が高い弾性部材が形成されることで，より一層安定性を向上させることができる。
【００３９】
次に，図３を参照しながら，第１の実施の形態にかかる表示装置１０１が情報処理装置１０３に装着された状態の情報処理システム１００について説明する。なお，図３は，第１の実施の形態にかかる表示装置と情報処理装置が装着された状態の情報処理システムの概略的な構成を示す説明図である。
【００４０】
図３（ａ）に示すように，表示装置１０１と情報処理装置１０３とが装着した状態であっても，上記アーム部１２１を上下に伸縮又は角度を調整することで，ディスプレイ部１２３の高さ又は角度を調整することができる。
【００４１】
図３（ａ）等に示す表示部１１０の画面サイズは，ディスプレイ部１２３の画面のサイズと比べて，例えば，横１７６ドット×縦２４０ドットの約２．０インチと非常に小さいが，情報処理装置１０３に設置可能なサイズであれば，かかる例に限定されない。
【００４２】
上記表示部１１０は，ディスプレイ部１２３に表示する画像と同一の画像を表示することができる。具体的には，ユーザは，例えば，情報処理システム１００の環境設定や，Ｅメールを表示部１１０の画面上に表示して，各情報をチェックするなど簡易な確認のみならず，文書作成，画像編集など多目的に活用することが出来る。
【００４３】
表示部１１０の画面サイズがディスプレイ部１２３の画面サイズよりも非常に小さいため，ディスプレイ部１２３の消費電力と比べて，表示部１１０の消費電力は非常に少なく済み，省エネである。なお，以下に，表示部１１０とディスプレイ部１２３の消費電力の比較例について示す。
【００４４】
ここで示す消費電力に関する比較例では，表示部１１０の画面サイズが２４０×３２０ドット（ＱＶＧＡ：２インチ）であり，ディスプレイ部１２３の画面サイズが一般的なノートＰＣの画面サイズ（１４００×１０５０ドット（ＳＸＧＡ：１４．１インチ））である場合について示す。
【００４５】
かかる場合，表示部１１０の消費電力は，ＬＣＤで１２ｍＷ，バックライトで１００ｍＷ〜２００ｍＷ程度であるから，表示部１１０全体の消費電力は１１２ｍＷ〜２１２ｍＷ程度である。一方，ディスプレイ部１２３の消費電力は，バックライトの消費電力も含めて３．９Ｗ〜５．２Ｗ程度である。
【００４６】
したがって，表示部１１０とディスプレイ部１２３の消費電力を比較してもディスプレイ部１２３の消費電力は，表示部１１０の消費電力の１８．４０〜４６．４３倍も多く電力が消費されているのが分かる。
【００４７】
つまり，特に電源がバッテリの場合，ディスプレイ部１２３を駆動せず，表示部１１０を駆動すれば，情報処理システム１００全体が駆動する駆動時間をより一層伸ばすことができる。
【００４８】
また，表示部１１０は，図３（ａ）に示すように，キーボード１１４の中央下部に備わる場合を例に挙げて説明するが，かかる例に限定されず，例えば，キーボード１１４の中央上部や，キーボード１１４の左側又は右側等に備わる場合でも実施可能である。
【００４９】
また，表示部１１０は，情報処理装置１０３の表面と略並行に画面が配置されている場合を例に挙げて説明するが，かかる例に限定されず，表示部１１０の画面左右に軸支し回動可能な部材を情報処理装置１０３に設けることで，表示部１１０の画面の角度を調整することができ，ユーザの画面に対する視認性を向上させることができる。
【００５０】
図３（ｂ）に示すように，表示装置１０１に備わる台座部１２５が情報処理装置１０３に備わる嵌合孔１３１に嵌合し，映像信号入出力用及び電源供給用のコネクタと結線接続し，ラッチ等することで，表示装置１０１は情報処理装置１０３に装着することができる。
【００５１】
また，情報処理装置１０３の嵌合孔１３１に装着された台座部１２５を取り外す場合，図３（ｂ）に示すように，解除スライドレバー１４８を，例えば回動又はスライド移動することによって，嵌合孔１３１から台座部１２５を脱離することができる。なお，第１の実施形態に係る情報処理装置１０３には解除スライドレバー１４８が備わらない場合でも実施可能である。
【００５２】
次に，図４を参照しながら，第１の実施の形態にかかる表示装置１０１の着脱について説明する。なお，図４は，第１の実施の形態にかかる表示装置１０１の着脱を概略的に示す説明図である。
【００５３】
図４（ａ）に示すように，表示装置１０１と情報処理装置１０３が装着された状態では，上記説明したように，台座部１２５が嵌合孔１３１に嵌合し，アナログＲＧＢ又はＤＶＩ（Ｄｉｇｉｔａｌ  Ｖｉｓｕａｌ  Ｉｎｔｅｒｆａｃｅ）の映像信号の入出力およびＡＣアダプタ１０５からの電源供給のためのコネクタと台座部１２５側に設けられた凹コネクタ１３５が結線接続し，凹着脱部１３３と台座部１２５側に設けられた留め金等の着脱部（図示せず。）が係合している。
【００５４】
なお，第１の実施の形態にかかる情報処理システム１００は，映像信号入出力用および電源供給用の両用可能なコネクタ一つを備える場合を例に挙げて説明したが，かかる例に限定されず，例えば，情報処理システム１００は，映像信号入出力用のコネクタおよび電源供給用のコネクタ等のように複数のコネクタを備える場合でも実施可能である。
【００５５】
図４（ｂ）に示すように，情報処理装置１０３の背面には，台座部１２５と嵌合可能な嵌合孔１３１が形成され，その嵌合孔１３１には，台座部１２５と係合等によって着脱可能な着脱部１３１と，情報処理装置１０３からの映像信号又はＡＣアダプタ１０５（バッテリも含む）からの電源用の凹コネクタ１３５とが備わっている。なお，図４（ｂ）は，情報処理装置１０３から表示装置１０１が取り外された状態を示している。
【００５６】
なお，上記説明したが，表示装置１０１を情報処理装置１０３から取り外す場合，例えば，ユーザは，台座部１２５の留め金の周辺に設けられた解除スライドレバー１４８を例えば水平方向に移動することによって台座部１２５側の留め金と凹着脱部１３３との係合を解除することができるが，かかる例に限定されない。
【００５７】
次に，図５を参照しながら，第１の実施の形態に係る情報処理装置１０３にＡＣアダプタ１０５が装着された場合の情報処理システム１００について説明する。なお，図５は，第１の実施の形態にかかるＡＣアダプタが装着された情報処理装置の概略的な構成を示す説明図である。
【００５８】
図５（ａ）に示すように，情報処理装置１０３は，表示装置１０１に備わる台座部１２５が係合解除され嵌合孔１３１から脱着されることによって，表示装置１０１が取り外された状態を示している。
【００５９】
図５（ａ）に示す情報処理装置１０３の状態から，図５（ｂ）に示すように，情報処理装置１０３の背面に形成された嵌合孔１３１に，内蔵型のＡＣアダプタ１０５ｂを装着することができる。
【００６０】
上記ＡＣアダプタ１０５ｂを情報処理装置１０３に装着するためには，ＡＣアダプタ１０５ｂの装着面に形成された電源を供給する凸コネクタ１４１を，嵌合孔１３１に形成された凹コネクタ１３５に結線接続し，さらにＡＣアダプタ１０５ｂの装着面に形成された凸着脱部１４３と嵌合孔１３１に形成された凹着脱部１３３とを係合するように装着すれば，情報処理装置１０３に上記ＡＣアダプタ１０５ｂを装着することができる。
【００６１】
なお，ＡＣアダプタ１０５ｂは，図５（ｂ）に示すように，情報処理装置１０３に電源を供給することができるとともに，表示装置１０１にも電源を供給することができる。したがって，表示装置１０１を情報処理装置１０３から取り外した場合でも，表示装置１０１用のＡＣアダプタ１０５を別途用意しなくて済み，表示装置１０１とユーザとの距離や，表示装置１０１のディスプレイ部１２３の高さなどを自由に調整することができる。
【００６２】
また，本実施の形態にかかるＡＣアダプタ１０５ｂは，情報処理装置１０３と表示装置１０１とに電源を供給する場合を例に挙げて説明したが，かかる例に限定されず，例えば，ＡＣアダプタ１０５ｂは，情報処理装置１０３にのみ電源を供給する場合等でも実施可能である。
【００６３】
次に，図６を参照しながら，第１の実施の形態に係る情報処理装置１０３にバッテリ１０６が装着された場合の情報処理システム１００について説明する。なお，図６は，第１の実施の形態にかかるバッテリが装着された情報処理装置の概略的な構成を示す説明図である。
【００６４】
図６（ａ）に示すように，情報処理装置１０３は，表示装置１０１に備わる台座部１２５が係合解除され嵌合孔１３１から脱着されることによって，表示装置１０１が取り外された状態を示している。
【００６５】
図６（ａ）に示す情報処理装置１０３の状態から，図６（ｂ）に示すように，情報処理装置１０３の背面に形成された嵌合孔１３１に，バッテリ１０６を装着することができる。
【００６６】
上記バッテリ１０６を情報処理装置１０３に装着するためには，バッテリ１０６の装着面に形成された電源を供給する凸コネクタ１４１を，嵌合孔１３１に形成された凹コネクタ１３５に結線接続し，さらにバッテリ１０６の装着面に形成された凸着脱部１４３と嵌合孔１３１に形成された凹着脱部１３３とを係合するように装着すれば，情報処理装置１０３に上記バッテリ１０６を装着することができる。
【００６７】
なお，バッテリ１０６は，情報処理装置１０３に電源を供給することができるとともに，図６（ｂ）に示すように，表示装置１０１にも電源を供給することができるが，かかる例に限定されず，例えば，バッテリ１０６は，情報処理装置１０３にのみ電源を供給する場合等でも実施可能である。
【００６８】
したがって，表示装置１０１を情報処理装置１０３から取り外した場合でも，表示装置１０１用のＡＣアダプタ１０５を別途用意しなくて済み，表示装置１０１とユーザとの距離や，表示装置１０１のディスプレイ部１２３の高さなどを自由に調整することができる。
【００６９】
また，例えば，バッテリ１０６からの結線接続を解除して，表示装置１０１に対する電力供給を停止すれば，バッテリ１０６の電力消費を省エネにして情報処理装置１０３の駆動時間を伸ばすことができる。したがって，表示部１１０を駆動する省エネモード又はディスプレイ部１２３を駆動する通常モードなどユーザのニーズに応じて自由に切換えることができる。
【００７０】
なお，表示装置１０１に電源を供給せずディスプレイ部１２３を駆動させない場合，その表示装置１０１に対する電源供給の停止に連動して情報処理装置１０３に備わる表示部１１０を駆動させるように自動的に又は手動で切換わるが，かかる例に限定されず，凹着脱部１３３または凸着脱部１４３を利用して，表示装置１０１が情報処理装置１０３から取り外された場合（例えば，検出スイッチによって取り外しを検出した場合），自動的に又は手動で表示部１１０の画面上に情報が表示される場合でも実施可能である。
【００７１】
（光空間通信について）
図１に示すように，表示装置１０１及び情報処理装置１０３の光空間送受信部１０８による通信について簡単に説明する。情報処理装置１０３に備わるグラフィックスコントローラなどに相当する画像処理部（図示せず。）からデジタル映像信号が光空間送受信部１０８に出力される。
【００７２】
なお，第１の実施の形態に係る光空間送受信部１０８は，例えば，光通信可能な光トランスミッタ等を例示することができるが，かかる例に限定されず，例えば，光空間送受信部１０８は，ＵＷＢ（Ｕｌｔｒａ  Ｗｉｄｅ  Ｂａｎｄ）等による無線通信機能を具備している場合などでも実施可能である。
【００７３】
情報処理装置１０３から映像信号等が出力されると，表示装置１０１に備わる光空間送受信部１０８によって映像信号が受信される。表示装置１０１は，その映像信号をＬＣＤコントローラ等を介してディスプレイ部１２３に出力される。
【００７４】
なお，第１の実施の形態にかかる情報処理システム１００には，表示装置１０１が情報処理装置１０３から取り外されたか否かに応じて，ＴＭＤＳ等からコネクタを介した有線による通信又は光空間送受信部１０８による通信に切換えるために，表示装置１０１の着脱状態を検出する検出スイッチ（図示せず。）が備わっている。
【００７５】
かかる検出スイッチは，嵌合孔１３１に備わる凹着脱部１３３と連動し，凹着脱部１３３が表示装置１０１側の凸着脱部１４３と係合している状態では，ＯＮ状態であって，情報処理装置１０３に備わるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）トランスミッタからコネクタを介して映像信号が表示装置１０１に送出される。
【００７６】
反対に上記凹着脱部１３３が表示装置１０１側の凸着脱部１４３と係合していない状態では，上記検出スイッチはＯＦＦ状態であって，情報処理装置１０３に備わる光空間送受信部１０８から表示装置１０１に映像信号が送出される。
【００７７】
なお，第１の実施の形態にかかる検出スイッチは，コネクタを介した有線による通信又は光空間送受信部１０８による通信のどちらかに切換える場合を例に挙げて説明したが，かかる例に限定されず，例えば，ＴＭＤＳトランスミッタからコネクタを介して映像信号を表示装置１０１に送出又は表示部１１０に映像信号を送出のどちらかに切換える場合等でも実施可能である。
【００７８】
次に，第１の実施の形態にかかる情報処理システム１００の変形例について説明する。なお，第１の実施の形態にかかる情報処理システム１００の変形例では，情報処理システム１００は，表示装置１０１と，情報処理装置１０３とを備え，その表示装置１０１と情報処理装置１０３との間の通信を無線ではなくケーブル等の有線で通信する。
【００７９】
なお，ケーブル等の有線で表示装置１０１と情報処理装置１０３とが接続する場合も，上記説明したように，情報処理装置１０３に備わる画像処理部から出力されるデジタル映像信号がＤＶＩのＴＭＤＳトランスミッタを介して凹コネクタ１３５を通り，表示装置１０１に送出される。
【００８０】
表示装置１０１側は，凹コネクタ１３５よりＴＭＤＳレシーバを介して，ＬＣＤコントローラ（図示せず。）にデジタル映像信号が伝送されることで，ディスプレイ部１２３に表示される。
【００８１】
第１の実施の形態にかかる情報処理システム１００の変形例では，ケーブルによって表示装置１０１と情報処理装置１０３が接続されるため，表示装置１０１と情報処理装置１０３との距離は，上記ケーブル２０５の長さによって制約されるが，有線による接続は，ワイヤレス通信の場合に障壁物などによって通信不能となる問題点を解消できる。
【００８２】
なお，第１の実施の形態にかかる情報処理システム１００の変形例では，ケーブルの接続がＤＶＩの場合を例に挙げて説明したが，かかる例に限定されず，例えば，ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ），アナログＲＧＢ等の場合でも実施可能である。
【００８３】
以上で，本実施の形態にかかる情報処理システムについて説明を終了するが，かかる情報処理システムにより以下に示すような優れた効果がある。
（１）表示装置１０１と情報処理装置１０３が装着された状態では，一般的なノートＰＣの外観と何ら変わることなく，ユーザは使用することができ，表示装置１０１を情報処理装置１０３から取り外せば，デスクトップＰＣの外観として，表示装置１０１の位置を自由に移動することができるため，操作性が向上するように，ユーザのニーズによって多様な使用形態に応じることができる。
（２）表示装置１０１を取り外しても，情報処理装置１０３にモニタとして表示部１１０が備わっているため，一般的なノートＰＣとして使用できるほか，表示装置１０１が装着されていない分，より一層軽量で，持ち運びにも便利である。
（３）ユーザは，表示装置１０１と情報処理装置１０３との着脱によって，表示装置１０１が装着されたノートＰＣのタイプ，表示装置１０１を情報処理装置１０３から取り外したデスクトップＰＣのタイプ，表示装置１０１の代わりに表示部１１０を使用するセパレートＰＣのタイプ，と少なくとも３つの形態によって使用することができ，各ユーザの目的又は操作性に応じて最適なユーザ環境を構築することができる。
（４）ユーザがＡＣアダプタ１０５で電源供給を受けられない環境等，バッテリ１０６で情報処理システムを使用する場合，情報処理装置１０３には表示部１１０が備わっているため，表示装置１０１を取り外して使用しなければ，バッテリ１０６の電力消耗を抑えて，より一層長く情報処理装置１０３を駆動することができる（比較例については，上記参照。）。また，上記表示部１１０を例えば携帯電話用のＬＣＤなどのディスプレイを流用することによって，コスト的にも十分低く抑えることができる。
（５）情報処理装置１０３から表示装置１０１を取り外せば，その取り外しを自動的に検知して，ワイヤレス通信によって映像信号等の信号を送出する，又は，表示部１１０に画像を表示させることができる。
【００８４】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００８５】
上記実施形態においては，情報処理システム１００は，ノート型ＰＣ（又は，ノートＰＣ）の場合を例に挙げて説明するが，かかる例に限定されず，例えば，情報処理システム１００は，ＰＤＡ等の場合であっても実施可能である。
【図面の簡単な説明】
【００８６】
【図１】第１の実施の形態にかかる情報処理システムの概略的な構成の一例を示す説明図である。
【図２】第１の実施の形態にかかる表示装置の概略的な構成を示す側面図である。
【図３】第１の実施の形態にかかる表示装置と情報処理装置が装着された状態の情報処理システムの概略的な構成を示す説明図である。
【図４】第１の実施の形態にかかる表示装置を着脱することについて概略的に示す説明図である。
【図５】第１の実施の形態にかかるＡＣアダプタが装着された情報処理装置の概略的な構成を示す説明図である。
【図６】第１の実施の形態にかかるバッテリが装着された情報処理装置の概略的な構成を示す説明図である。
【符号の説明】
【００８７】
１００      情報処理システム
１０１      表示装置
１０３      情報処理装置
１０５      ＡＣアダプタ
１０６      バッテリ
１１０      表示部
１２３      ディスプレイ部
１３３      凹着脱部
１３５      凹コネクタ
【図１】
2006293780.tif 000003
【図２】
2006293780.tif 000004
【図３】
2006293780.tif 000005
【図４】
2006293780.tif 000006
【図５】
2006293780.tif 000007
【図６】
2006293780.tif 000008